(57)【特許請求の範囲】
【請求項１】
弁孔が開設され、その弁孔の中央に開口する供給流路、その両側に開口する二つの出力流路及びそれらの両側に開口する二つの排出流路を設けた５ポート弁用の弁ボディと、上記弁孔内に摺動自在に配設された弁体と、上記弁孔の軸方向両側に配設された第１、第２ピストンとを有し、それらのピストンに対するパイロット流体圧の作用により弁体を動作させる主弁；並びに、
第１及び第２のソレノイド機構を備え、これらのソレノイド機構の作動によりパイロット流体圧をそれぞれ上記第１ピストンと第２ピストンとに個別に作用させる第１及び第２のパイロット弁からなるパイロット弁部；
を備えたものにおいて、
上記弁ボディの弁孔に内挿する弁体を、供給流路の両側において該供給流路の流体圧による作用力を弁体の復帰力とする二つの弁体により構成し、これらの弁体に、出力流路と排出流路との間を弁体の動作位置に拘らず常に封止状態に保つシール部と、供給流路と出力流路との間を開閉するシール部とを設け、
上記シール部を形成するために弁体に設けたシール部材で、上記供給流路と出力流路との間に位置するランドから外れた流通位置とそのランドに乗り上げる封止位置とに切り換えられるシール部材の上記ランドへの乗り上げ側における弁体の周囲に、上記流体の流通間隙を置いて、シール部材がランドから外れたときもそのランド上にあって該シール部材のランドへの乗り上げをガイドする複数のガイド部を設けた、
ことを特徴とする５ポート電磁弁ボディを利用した２ポート電磁弁。
【請求項２】
弁孔が開設され、その弁孔の中央に開口する供給流路、その両側に開口する二つの出力流路及びそれらの両側に開口する二つの流体流路を設けた５ポート弁用の弁ボディと、上記弁孔内に摺動自在に配設された弁体と、上記弁孔の軸方向両側に配設された第１、第２ピストンとを有し、それらのピストンに対するパイロット流体圧の作用により弁体を動作させる主弁；並びに、
第１及び第２のソレノイド機構を備え、これらのソレノイド機構の作動によりパイロット流体圧をそれぞれ上記第１ピストンと第２ピストンとに個別に作用させる第１及び第２のパイロット弁からなるパイロット弁部；
を備えたものにおいて、
上記弁ボディの弁孔に内挿する弁体を、供給流路の両側において該供給流路の流体圧による作用力を弁体の復帰力とする二つの弁体により構成し、これらの弁体に、供給流路と出力流路との間を弁体の動作位置に拘らず常に封止状態に保つシール部と、出力流路と流体流路との間を開閉するシール部とを設け、
上記シール部を形成するために弁体に設けたシール部材で、上記出力流路と流体流路との間に位置するランドから外れた流通位置とそのランドに乗り上げる封止位置とに切り換えられるシール部材の上記ランドへの乗り上げ側における弁体の周囲に、上記流体の流通間隙を置いて、シール部材がランドから外れたときもそのランド上にあって該シール部材のランドへの乗り上げをガイドする複数のガイド部を設けた、
ことを特徴とする５ポート電磁弁ボディを利用した２ポート電磁弁。
【請求項３】
弁孔が開設され、その弁孔の中央に開口する供給流路、その両側に開口する二つの出力流路及びそれらの両側に開口する二つの排出流路を設けた５ポート弁用の弁ボディと、上記弁孔内に摺動自在に配設された弁体と、上記弁孔の軸方向両側に配設された第１、第２ピストンとを有し、それらのピストンに対するパイロット流体圧の作用により弁体を動作させる主弁；並びに、
第１及び第２のソレノイド機構を備え、これらのソレノイド機構の作動によりパイロット流体圧をそれぞれ上記第１ピストンと第２ピストンとに個別に作用させる第１及び第２のパイロット弁からなるパイロット弁部；
を備えたものにおいて、
上記弁ボディの弁孔に内挿する弁体を、供給流路の両側において該供給流路の流体圧による作用力を弁体の復帰力とする二つの弁体により構成し、
その一方の弁体に、出力流路と排出流路との間を弁体の動作位置に拘らず常に封止状態に保つシール部と、供給流路と出力流路との間を開閉するシール部とを設け、他方の弁体に、出力流路を供給流路と排出流路とに切換連通させるための第１及び第２のシール部を設け、
上記一方の弁体においては、上記シール部を形成するために弁体に設けたシール部材で、上記供給流路と出力流路との間に位置するランドから外れた流通位置とそのランドに乗り上げる封止位置とに切り換えられるシール部材の上記ランドへの乗り上げ側における弁体の周囲に、上記流体の流通間隙を置いて、シール部材がランドから外れたときもそのランド上にあって該シール部材のランドへの乗り上げをガイドする複数のガイド部を設け、
上記他方の弁体においては、上記第１のシール部を形成するために弁体に設けたシール部材で、上記出力流路と排出流路との間に位置するランドから外れた流通位置とそのランドに乗り上げる封止位置とに切り換えられる第１のシール部材、並びに、上記第２のシール部を形成するために弁体に設けたシール部材で、上記供給流路と出力流路との間に位置するランドから外れた流通位置とそのランドに乗り上げる封止位置とに切り換えられる第２のシール部材の上記ランドへの乗り上げ側における弁体の周囲に、上記流体の流通間隙を置いて、上記第１及び第２のシール部材がランドから外れたときもそれぞれのランド上にあって該シール部材のランドへの乗り上げをガイドする複数のガイド部をそれぞれ設けた、
ことを特徴とする５ポート電磁弁ボディを利用した２・３ポート電磁弁。
【発明の詳細な説明】
【０００１】
【発明の属する技術分野】
本発明は、多数の５ポート電磁弁等を連設して多連の弁として使用する場合にそれらと混用するのに適した２ポート電磁弁、または２ポート弁と３ポート弁を混在させた電磁弁に関するものである。
【０００２】
【従来の技術】
各種の流体圧駆動機器を動作させるため、５ポートのパイロット式電磁切換弁等をレールやマニホールド・ベース上で多連に連設して使用することが一般的に行われているが、それらの弁の中に２ポート電磁弁を必要とする場合も少なくない。しかしながら、２ポート弁は機能的に５ポート弁と大差があるため、通常は５ポート弁と形態を異にし、それらと共に多連に連設することができず、５ポート弁等とは別に準備する必要があり、そのため、各種の弁を多連に一体化するにも限界があった。
また、このような問題に対処し、上記２ポート弁を５ポート弁と同様な形態に製造しようとしても、両者の間の機能的な差異が大きいので、無駄な構造が多くなり、不必要にコスト高になるのを避けることが困難であった。
【０００３】
【発明が解決しようとする課題】
本発明の技術的課題は、５ポートの電磁切換弁等と共に多連に連設して使用できる２ポート電磁弁を安価に提供することにある。
本発明の更に具体的な技術的課題は、５ポート電磁弁用の弁ボディを利用してそれに二つの２ポート電磁弁または一つの２ポート弁と一つの３ポート弁とを組み込み、多数の５ポート弁等を連設して使用する場合に、それらと共に混用することができるようにした安価な２ポート弁を提供することにある。
【０００４】
【課題を解決するための手段】
上記課題を解決するための本発明の２ポート電磁弁は、
弁孔が開設され、その弁孔の中央に開口する供給流路、その両側に開口する二つの出力流路及びそれらの両側に開口する二つの排出流路を設けた５ポート弁用の弁ボディと、上記弁孔内に摺動自在に配設された弁体と、上記弁孔の軸方向両側に配設された第１、第２ピストンとを有し、それらのピストンに対するパイロット流体圧の作用により弁体を動作させる主弁；並びに、第１及び第２のソレノイド機構を備え、これらのソレノイド機構の作動によりパイロット流体圧をそれぞれ上記第１ピストンと第２ピストンとに個別に作用させる第１及び第２のパイロット弁からなるパイロット弁部；を備えたものにおいて、上記弁ボディの弁孔に内挿する弁体を、供給流路の両側において該供給流路の流体圧による作用力を弁体の復帰力とする二つの弁体により構成し、これらの弁体に、出力流路と排出流路との間を弁体の動作位置に拘らず常に封止状態に保つシール部と、供給流路と出力流路との間を開閉するシール部とを設け、上記シール部を形成するために弁体に設けたシール部材で、上記供給流路と出力流路との間に位置するランドから外れた流通位置とそのランドに乗り上げる封止位置とに切り換えられるシール部材の上記ランドへの乗り上げ側における弁体の周囲に、上記流体の流通間隙を置いて、シール部材がランドから外れたときもそのランド上にあって該シール部材のランドへの乗り上げをガイドする複数のガイド部を設けたことを特徴とするものである。
【０００５】
また、上記課題を解決するため、本発明の２ポート電磁弁は、上記二つの排出流路を正または負の圧力流体が供給される流体流路としたものにおいて、上記弁ボディの弁孔に内挿する弁体を、供給流路の両側において該供給流路の流体圧による作用力を弁体の復帰力とする二つの弁体により構成し、これらの弁体に、供給流路と出力流路との間を弁体の動作位置に拘らず常に封止状態に保つシール部と、出力流路と流体流路との間を開閉するシール部とを設け、上記シール部を形成するために弁体に設けたシール部材で、上記出力流路と流体流路との間に位置するランドから外れた流通位置とそのランドに乗り上げる封止位置とに切り換えられるシール部材の上記ランドへの乗り上げ側における弁体の周囲に、上記流体の流通間隙を置いて、シール部材がランドから外れたときもそのランド上にあって該シール部材のランドへの乗り上げをガイドする複数のガイド部を設けたものとすることができる。
【０００６】
更に、本発明の電磁弁は、上記弁ボディの弁孔に内挿する二つの弁体のうちの一方の弁体に、出力流路と排出流路との間を弁体の動作位置に拘らず常に封止状態に保つシール部と、供給流路と出力流路との間を開閉するシール部とを設け、他方の弁体に、出力流路を供給流路と排出流路とに切換連通させるための３ポート弁用の第１及び第２のシール部を設け、上記一方の弁体においては、上記シール部を形成するために弁体に設けたシール部材で、上記供給流路と出力流路との間に位置するランドから外れた流通位置とそのランドに乗り上げる封止位置とに切り換えられるシール部材の上記ランドへの乗り上げ側における弁体の周囲に、上記流体の流通間隙を置いて、シール部材がランドから外れたときもそのランド上にあって該シール部材のランドへの乗り上げをガイドする複数のガイド部を設け、上記他方の弁体においては、上記第１のシール部を形成するために弁体に設けたシール部材で、上記出力流路と排出流路との間に位置するランドから外れた流通位置とそのランドに乗り上げる封止位置とに切り換えられる第１のシール部材、並びに、上記第２のシール部を形成するために弁体に設けたシール部材で、上記供給流路と出力流路との間に位置するランドから外れた流通位置とそのランドに乗り上げる封止位置とに切り換えられる第２のシール部材の上記ランドへの乗り上げ側における弁体の周囲に、上記流体の流通間隙を置いて、上記第１及び第２のシール部材がランドから外れたときもそれぞれのランド上にあって該シール部材のランドへの乗り上げをガイドする複数のガイド部をそれぞれ設けたものとすることができる。
【０００７】
このような構成を有する２ポート弁は、５ポート電磁弁の弁ボディをそのまま利用し、各種部品を５ポート電磁弁と共通化できるので、若干の無駄な構造を有していても、結果的には、５ポートの電磁切換弁等と共に多連に連設して混用できる２ポート電磁弁を安価に提供することが可能になる。また、弁孔に挿入する弁体を二つに分割しているため、弁体の軸方向移動のガイドを考慮しなければ、弁体の姿勢が不安定になってシール部材のランドへの乗り上げが不適正になる可能性があるが、上記ガイド部を設けることにより、必要な流量を確保しながら、このシール部材のランドに対する乗り上げを適正化することが可能になる。
【０００８】
【発明の実施の形態】
図１及び図２は、本発明に係る２ポート電磁弁の第１実施例を示している。この２ポート電磁弁は、５ポート電磁弁用の弁ボディを利用し、その内部の弁孔に以下に説明する二つの２ポート弁用の弁体を組み込んだもので、該弁体を組み込んだ主弁１１と、２個のパイロット電磁弁１２Ａ，１２Ｂとを有するパイロット弁部１２とを備え、主弁１１の底蓋１３によって、図示を省略したＤＩＮレール上に多数の５ポート電磁弁と共に連設可能にしたものである。
【０００９】
上記主弁１１は、上記底蓋１３及び上蓋１４を取付けた弁ボディ１５と、その弁ボディ１５の一端面に取付けたピストン箱１６と、その弁ボディ１５の他端面に取付けたエンドプレート１８とを備えている。この弁ボディ１５は、５ポート電磁弁用のものをそのまま利用するため、複数の弁ボディ１５を連設する方向に貫通し、それらの連設により相互に連通せしめられる圧縮空気の供給通孔Ｐ、第１及び第２排出通孔ＥＡ，ＥＢ、並びにパイロット供給通孔ｐｓを備え、また、上記ピストン箱１６及びエンドプレート１８を取付けた両端面間を貫通する弁孔２０を備えている。そして、この弁孔２０には、上記供給通孔Ｐに連通する中央の供給流路２１、その両側に位置する二つの出力流路２２Ａ，２２Ｂ、並びにそれらの両側に位置して上記第１及び第２排出通孔ＥＡ，ＥＢと連通する二つの排出流路２３Ａ，２３Ｂを開口させている。なお、上記主弁１１は、底蓋１３によりＤＩＮレール上に連設するようにしているが、供給通孔Ｐ、第１及び第２排出通孔ＥＡ，ＥＢ、並びにパイロット供給通孔ｐｓ等をマニホールドベース中に設け、弁孔２０を有する弁ボディ１５をそのマニホールドベース上に連設した構成とすることもできる。
【００１０】
上記弁ボディ１５の弁孔２０に摺動自在に内挿する弁体は、供給流路２１の両側において該供給流路の流体圧による作用力を復帰力とする二つの弁体２５Ａ，２５Ｂにより構成している。また、上記弁孔２０の軸方向両側には、それぞれ弁体２５Ａ，２５Ｂとは別体であるが、パイロット流体圧の作用を受けてそれらの弁体２５Ａ，２５Ｂを押圧する弁体２５Ａ，２５Ｂよりも大径の第１、第２のピストン２６Ａ，２６Ｂを配設している。
上記弁体２５Ａ，２５Ｂは、出力流路２２Ａ，２２Ｂと排出流路２３Ａ，２３Ｂとの間を、該弁体の動作位置に拘らず常に封止状態に保つシール部材２８Ａ，２８Ｂと、弁体の動作により供給流路２１と出力流路２２Ａ，２２Ｂとの間を開閉するシール部材２９Ａ，２９Ｂとを設けたものである。
したがって、シール部材２８Ａ，２８Ｂは、弁体２５Ａ，２５Ｂの動作位置に拘らず、常に出力流路２２Ａ，２２Ｂと排出流路２３Ａ，２３Ｂとの間のランド３１Ａ，３１Ｂに接した状態にあり、一方、シール部材２９Ａ，２９Ｂは、弁体の動作に伴って、供給流路２１上の中間位置と、供給流路２１と出力流路２２Ａ，２２Ｂとの間のランド３２Ａ，３２Ｂに乗り上げた位置との間の移動を繰り返すことになる。
【００１１】
上記弁体２５Ａ，２５Ｂは、本来、５ポート弁の場合に単一の弁体がその両端でガイドされて挿入される弁孔２０に、二分割したものとして挿入されるため、弁体２５Ａ，２５Ｂのガイドについて何らかの配慮を行わないと、弁体の供給流路２１側がガイドされず、弁体の姿勢が不安定になり、弁孔２０の軸心に対して弁体２５Ａ，２５Ｂの軸心が傾斜し、シール部材が適切に機能しなくなる可能性がある。その場合に、上記シール部材２８Ａ，２８Ｂのように、常にランド３１Ａ，３１Ｂ上にあるものは、そのシール部材の嵌着溝からの脱出や、ランド３１Ａ，３１Ｂへの乗り上げ時の噛み込み等による破損について、考慮する必要はないが、シール部材２９Ａ，２９Ｂのように、ランド３２Ａ，３２Ｂに繰り返し乗り上げるものでは、弁体２５Ａ，２５Ｂの軸心が弁孔２０の軸心に対して傾斜すると、シール部材がランドの乗り上げに際して破損する可能性がある。
【００１２】
そこで、上記弁体２５Ａ，２５Ｂにおいては、そのピストン側端部のシール部材（Ｏリング）３４に隣接する部分にガイド部３５を設けると共に、流路を開閉するシール部材２９Ａ，２９Ｂ、即ち、供給流路２１の一側のランド３２Ａまたは３２Ｂから外れた流通位置（図１の弁体２５Ａの動作位置）と、そのランドに乗り上げる封止位置（図１の弁体２５Ｂの動作位置）とに切り換えられるシール部材２９Ａ，２９Ｂの上記ランド３２Ａ，３２Ｂ側における弁体の周囲に、シール部材２９Ａ，２９Ｂがランド３２Ａ，３２Ｂから外れたときもそのランド上にあって該シール部材のランドへの乗り上げをガイドする複数のガイド部３６を、図２に明瞭に示すように、それらの間に上記供給流路２１を流れる流体の流路溝３７を置いて設けている。
【００１３】
これらのガイド部３５，３６は、弁体２５Ａ，２５Ｂの姿勢を安定化することを目的として設けたものであるが、後述する実施例を含めて、ランドから外れた流通位置とそのランドに乗り上げる封止位置とをとるようなシール部材（例えば、上記シール部材２９Ａ，２９Ｂ）をランドに円滑に乗り上げさせることを目的とし、それらのシール部材がランドから外れたときもそのランド上にあって、該シール部材のランドへの乗り上げをガイドする複数のガイド部（例えば、上記上記ガイド部３６）のみを設けることもできる。
このような構造の弁体２５Ａ，２５Ｂは、形状が複雑化するので、合成樹脂による成形で製造するのが特に有効である。
【００１４】
弁ボディ１５に取付けたエンドプレート１８の外側面には、第１及び第２の出力ポートＡ，Ｂを上下方向に並べて開設し、弁孔２０に開口する第１、第２の出力流路２２Ａ，２２Ｂを、弁ボディ１５内に形成した通路によってそれらの出力ポートＡ，Ｂに連通させている。図中、３８はこれらの出力ポートＡ，Ｂに装着したワンタッチ継手を示している。
上記第１の出力流路２２Ａと出力ポートＡとの連通は、まず、第１出力流路２２Ａを弁ボディ１５の上面の凹部に上蓋１４を取付けることにより形成される流路４１ｂに対し、導出流路４１ａにより開口させ、流路４１ｂを弁ボディ１５に開設した通孔４１ｃを通して第１出力ポートＡに開口させることにより行っている。一方、反対側の上記第２出力流路２２Ｂは、弁ボディ１５の下面に対して導出流路４２ａにより開口させると共に、該導出流路４２ａを弁ボディ１５に開設した通孔４２ｃを経て第２出力ポートＢに連通させている。
【００１５】
上記ピストン箱１６に形成された第１ピストン室４５Ａには前記第１ピストン２６Ａが、また、エンドプレート１８に形成された第２ピストン室４５Ｂには第２ピストン２６Ｂが、それぞれ気密に摺動可能に挿入されており、第１パイロット出力通路４８Ａから第１ピストン室４５Ａにパイロット流体を供給すると、弁体２５Ａよりも大径の第１ピストン２６Ａに作用するパイロット流体圧による作用力が、弁体２５Ａの反対側端面に作用する供給通孔Ｐからの圧力流体による作用力に勝るので、弁体２５Ａが図１に示す流通位置まで右動し、それにより供給流路２１を第１出力流路２２Ａに連通させるので、第１出力ポートＡから圧力流体が出力される。第１ピストン室４５Ａのパイロット流体が排出されると、上記供給通孔Ｐからの圧力流体による作用力で弁体２５Ａは復帰する。また、第２パイロット出力通路４８Ｂから第２ピストン室４５Ｂにパイロット流体を供給したときも、同様にして第２ピストン２６Ｂと弁体２５Ｂが図１に示す封止位置から左動し、供給流路２１と第２出力流路２２Ｂとを連通させるので、第２出力ポートＢから圧力流体が出力される。これらの場合において、出力流路２２Ａ，２２Ｂと排出流路２３Ａ，２３Ｂとの間に位置するランド３１Ａ，３１Ｂは、弁体の動作位置に拘らず、常にシール部材２８Ａ，２８Ｂが接した状態にあるため、出力流路と排出流路との間は常に封止状態に保たれる。
【００１６】
パイロット弁部１２に並設されて弁体２５Ａ，２５Ｂを駆動する第１、第２パイロット電磁弁１２Ａ，１２Ｂは、パイロット入口通路４７、前記パイロット出力通路４８Ａ，４８Ｂ及びパイロット排気通路４９を備え、ソレノイド５０Ａ，５０Ｂの励磁とその解除によって、パイロット出力通路４８Ａ，４８Ｂをパイロット入口通路４７とパイロット排気通路４９とに切り換えて連通させる周知の常閉形３ポート電磁弁として構成されている。
これらのパイロット電磁弁１２Ａ，１２Ｂのパイロット入口通路４７は、パイロット弁本体５１、ピストン箱１６及び弁ボディ１５に形成した通路４７ａによってパイロット供給通路ｐｓに連通し、電磁弁１２Ａのパイロット出力通路４８Ａは第１ピストン室４５Ａに連通し、電磁弁１２Ｂのパイロット出力通路４８Ｂは第２ピストン室４５Ｂに連通し、電磁弁１２Ａ，１２Ｂのパイロット排気通路４９はパイロット排出通路ｐｅに連通している。
【００１７】
上記パイロット電磁弁１２Ａ，１２Ｂは、パイロット弁本体５１の両側に位置して互いに連動する入口弁体５２Ａ，５２Ｂと排気弁体５３Ａ，５３Ｂを備え、ソレノイド５０Ａまたは５０Ｂを励磁すると、入口弁体５２Ａまたは５２Ｂが開放して、パイロット入口通路４７と第１または第２パイロット出力通路４８Ａ，４８Ｂとを個別的に連通させると共に、排気弁体５３Ａ，５３Ｂが閉鎖されて、パイロット出力通路４８Ａまたは４８Ｂからパイロット排気通路４９に至る通路が遮断される。その結果、ピストン室４５Ａまたは４５Ｂにパイロット流体が供給される。また、ソレノイド５０Ａまたは５０Ｂの励磁を解除すると、入口弁体５２Ａ，５２Ｂが閉鎖すると共に、排気弁体５３Ａ，５３Ｂが開放し、パイロット出力通路４８Ａまたは４８Ｂからパイロット排気通路４９に至る通路が開放されて、ピストン室４５Ａまたは４５Ｂに送入されていた圧力流体が個別的に排出され、その結果、供給通孔Ｐから供給流路２１を経て弁孔２０に流入している流体圧力による作用力が弁体２５Ａ，２５Ｂの復帰力となり、それらの弁体が復帰動作する。
【００１８】
パイロット弁本体５１及びピストン箱１６に設けた第１、第２手動操作子５４Ａ，５４Ｂは、常時はばねにより突出方向に付勢されて押圧可能に設けられている。これらは、停電等の事故によってソレノイド５０Ａ，５０Ｂによる弁体２５Ａ，２５Ｂの駆動ができなくなったとき、それらの押圧により、パイロット供給通路ｐｓをパイロット出力通路４８Ａ，４５Ｂに連通させ、弁体２５Ａ，２５Ｂを駆動可能にするものである。
【００１９】
上記図１の第１実施例は、弁ボディ１５内に二つの常閉形２ポート弁を構成する弁体２５Ａ，２５Ｂを収容したものであるが、図３に示す第２実施例のように弁体の構造を若干変更することにより、二つの常開形２ポート弁を備えたものとすることができる。
この第２実施例の弁孔２０内に摺動自在に配設された二つの弁体５５Ａ，５５Ｂは、前記第１実施例と同様に、供給流路２１の両側において該供給流路２１の流体圧による作用力を弁体５５Ａ，５５Ｂの復帰力とするものであるが、これらの弁体５５Ａ，５５Ｂに、出力流路２２Ａ，２２Ｂと排出流路２３Ａ，２３Ｂとの間を弁体の動作位置に拘らず常に封止状態に保つシール部材５８Ａ，５８Ｂと、供給流路２１と出力流路２２Ａ，２２Ｂとの間を開閉するシール部材５９Ａ，５９Ｂとを設けている。
【００２０】
前記第１実施例のシール部材２９Ａ，２９Ｂは、弁体の動作に伴って、供給流路２１上の中間位置と、供給流路２１と出力流路２２Ａ，２２Ｂとの間のランド３２Ａ，３２Ｂに乗り上げた位置との間を移動するものであるが、この第２実施例における上記シール部材５９Ａ，５９Ｂは、弁体の動作に伴って、出力流路２２Ａまたは２２Ｂ上の中間位置と、上記ランド３２Ａ，３２Ｂに乗り上げた位置との間を移動するものであり、これにより二つの弁体５５Ａ，５５Ｂは、それぞれ常開形の２ポート弁を構成することになる。また、シール部材５９Ａ，５９Ｂのランドへの乗り上げを円滑にするため、シール部材５９Ａ，５９Ｂの上記供給流路２１側における弁体の周囲に、シール部材５９Ａ，５９Ｂがランド３２Ａ，３２Ｂから外れたときもそのランド上にあって該シール部材のランドへの乗り上げをガイドする複数のガイド部６２を、それらの間に上記供給流路２１を流れる流体の流路溝６３を置いて設けている。
なお、この第２実施例におけるその他の構成及び作用は第１実施例の場合と実質的に変わるところがないので、図中の主な同一または相当部分に同一の符号を付してそれらの説明を省略する。
【００２１】
図４は、本発明の第３実施例を示している。この電磁弁は、前記第１実施例とほぼ同じ５ポート弁用の弁ボディ１５を用いているが、供給流路２１とその両側の出力流路２２Ａ，２２Ｂとの間の流通を常に封止状態に保って、排出通孔ＥＡ，ＥＢを加圧または負圧流体を供給する流体流路とし、そのため、第１実施例や第２実施例に比して弁体の構造に若干の変更を加えている。
即ち、この実施例における二つの弁体６５Ａ，６５Ｂは、第１実施例と同様に、供給流路２１の両側において該供給流路の流体圧による作用力を弁体の復帰力とするものであるが、供給流路２１と出力流路２２Ａ，２２Ｂとの間のランド３２Ａ，３２Ｂに接して、それらの流路間を弁体の動作位置に拘らず常に封止状態に保つシール部材６８Ａ，６８Ｂと、出力流路２２Ａ，２２Ｂと流体流路２３Ａ，２３Ｂとの間をランド３１Ａ，３１Ｂへの乗り上げにより開閉するシール部材６９Ａ，６９Ｂとを設けている。
【００２２】
更に、弁体６５Ａ，６５Ｂの姿勢を安定化させるため、それらの弁体の両端に近い位置にガイド部３５及びガイド部７１を設けている。上記ガイド部３５は第１実施例の場合と同一である。一方、上記ガイド部７１は、それに隣接するシール部材６８Ａ，６８Ｂが常にランド３２Ａ，３２Ｂ上に接している点では第１実施例の場合と相違するが、構造的には、図２において示したガイド部３６と同一である。
【００２３】
また、ランド３１Ａ，３１Ｂへのシール部材６９Ａ，６９Ｂの乗り上げを円滑にするため、シール部材６９Ａ，６９Ｂの上記出力流路２２Ａ，２２Ｂ側における弁体の周囲に、シール部材６９Ａ，６９Ｂがランド３１Ａ，３１Ｂから外れたときもそのランド上にあって該シール部材のランドへの乗り上げをガイドする複数のガイド部７２を、図２の場合と同様にして、それらの間に上記供給流路２１を流れる流体の流路溝７３を置いて設けることもできる。
なお、この第３実施例におけるその他の構成及び作用は第１実施例の場合と実質的に変わるところがないので、図中の主な同一または相当部分に同一の符号を付してそれらの説明を省略する。
【００２４】
図５は、本発明の第４実施例を示すもので、前記各実施例では５ポート弁用の弁ボディ１５を用いて二つの２ポート弁を組み込んでいるが、この第４実施例では、同弁ボディに一つの２ポート弁と一つの３ポート弁とを組み込んでいる。
即ち、この第４実施例における二つの弁体７５Ａ，７５Ｂは、第１実施例と同様に、供給流路２１の両側において該供給流路の流体圧による作用力を弁体の復帰力とするものであるが、弁体７５Ａを３ポート弁を構成するための弁体とし、弁体７５Ｂを２ポート弁を構成する弁体としている。
これを具体的に説明すると、上記弁体７５Ａは、出力流路２２Ａを供給流路２１と排出流路２３Ａとに切換連通させるための第１のシール部材７９Ａ及び第２のシール部材８０Ａを設けている。これらの第１及び第２のシール部材７９Ａ，８０Ａは、３ポート弁として機能させるため、いずれもランド３１Ａ，３２Ａに乗り上げる封止位置と、供給流路２１または排出流路２３Ａ上に位置する中間位置との間を移動するものである。
【００２５】
弁体７５Ａの姿勢を安定化させるため、第１実施例の場合と同様に、弁体７５Ａには、その両端に近い位置にガイド部３５及びランド３２Ａへの第２のシール部材８０Ａの乗り上げをガイドするガイド部８１を設けているが、ランド３１Ａへの第１のシール部材７９Ａの乗り上げを円滑にするため、該第１のシール部材７９Ａの出力流路２２Ａ側における弁体の周囲に、第１のシール部材７９Ａがランド３１Ａから外れたときもそのランド上にあって該シール部材のランドへの乗り上げをガイドする複数のガイド部８２を、図２の場合と同様にして、それらの間に流路溝を置いて設けることもできる。
【００２６】
一方、２ポート弁を構成する上記弁体７５Ｂは、図１及び図２によって説明した第１実施例の場合と同一であるため、ここではその説明を省略する。
なお、この第４実施例におけるその他の構成及び作用も前記第１実施例の場合と実質的に変わるところがないので、図中の主な同一または相当部分に同一の符号を付してそれらの説明を省略する。
【００２７】
【発明の効果】
以上に詳述した本発明の２ポート電磁弁によれば、５ポート電磁弁用の弁ボディを利用してそれに二つの２ポート電磁弁または一つの２ポート弁と一つの３ポート弁とを組み込み、多数の５ポート弁等を連設して使用する場合に、それらと共に混用することができるようにした安価な２ポート弁を得ることができる。
【図面の簡単な説明】
【図１】本発明に係る２ポート電磁弁の第１実施例の構成を示す断面図である。
【図２】上記第１実施例において用いている弁体の構造を示す拡大斜視図である。
【図３】本発明に係る２ポート電磁弁の第２実施例の構成を示す断面図である。
【図４】本発明に係る２ポート電磁弁の第３実施例の構成を示す断面図である。
【図５】本発明に係る電磁弁の第４実施例の構成を示す断面図である。
【符号の説明】
１１    主弁
１２    パイロット弁部
１２Ａ，１２Ｂ  パイロット弁
１５    弁ボディ
２０    弁孔
２１    供給流路
２２Ａ，２２Ｂ  出力流路
２３Ａ，２３Ｂ  排出流路
２５Ａ，２５Ｂ，５５Ａ，５５Ｂ，６５Ａ，６５Ｂ，７５Ａ，７５Ｂ  弁体
２６Ａ，２６Ｂ  ピストン
２８Ａ，２８Ｂ，６８Ａ，６８Ｂ  シール部材
２９Ａ，２９Ｂ，５９Ａ，５９Ｂ，６９Ａ，６９Ｂ  シール部材
７９Ａ，８０Ａ  シール部材
５０Ａ，５０Ｂ  ソレノイド
【図１】
0004016151.tif 000002
【図２】
0004016151.tif 000003
【図３】
0004016151.tif 000004
【図４】
0004016151.tif 000005
【図５】
0004016151.tif 000006